(57)【要約】【課題】本調理器の外観を形成する本体ケースの手前側のフランジが撓んでも、そのフランジ上に位置する上面操作部の操作不良を防止できる組込式加熱調理器を提供する。【解決手段】天板１の周縁に取り付けられた枠体４のうち手前側の枠体４に設けられ、調理に必要な複数のスイッチ１５ａおよび電子部品素子１５ｂが実装された基板１５を有する上面操作部５と、上面操作部５の一部品として設けられ、上面に基板１５が取り付けられた基板ケース１４と、基板ケース１４の下面とこの下面に対向する本体ケースの前部支持体１３のフランジ１３ａとの間に設けられた弾性体１８とを備えた。【選択図】図３
2008304136.tif 000002
【特許請求の範囲】
【請求項１】
厨房家具の上面に開けられた開口周縁にフランジが載置される本体ケースと、
調理するための天板の周縁に取り付けられ、前記フランジに設けられた枠体と、
前記枠体のうち手前側の枠体に設けられ、調理に必要な複数のスイッチ、少なくともこれらスイッチが実装された基板を有する上面操作部と、
前記上面操作部の一部品として設けられ、上面に前記基板が取り付けられた基板ケースと、
前記基板ケースの下面とこの下面に対向する前記本体ケースのフランジとの間に設けられた弾性体と
を備えたことを特徴とする組込式加熱調理器。
【請求項２】
前記基板ケースは、前記天板の幅方向に長く形成され、その方向の一端に垂下して形成された挿入板を有し、
前記基板ケースの下面に対向する前記本体ケースのフランジは、その本体ケースの内側に下方に折れ曲がって形成された側板を有し、さらに、その側板に前記挿入板を上下動可能に支持する支持片が設けられていることを特徴とする請求項１記載の組込式加熱調理器。
【請求項３】
前記基板ケースは、前記天板の幅方向に長く形成され、その方向の一端に垂下して形成され、下端に下方に突出する挿入部を有する挿入板を備え、
前記基板ケースの下面に対向する前記本体ケースのフランジは、その本体ケースの内側に下方に折れ曲がって形成された側板を有し、さらに、その側板に前記挿入板の挿入部を上下動可能に挿入させる穴を有する支持片が設けられていることを特徴とする請求項１記載の組込式加熱調理器。
【請求項４】
前記弾性体に代えて、前記基板ケースの下面に対向する前記本体ケースのフランジに一端を支点とする円弧状の弾性片を備えたことを特徴とする請求項１記載の組込式加熱調理器。
【請求項５】
前記弾性体に代えて、前記基板ケースの下面に一端を支点とする円弧状の弾性片を備えたことを特徴とする請求項１記載の組込式加熱調理器。
【発明の詳細な説明】
【技術分野】
【０００１】
本発明は、台所の流し台と並べられた調理台や、流し台とは別に設置された調理台等の厨房家具に組み込んで使用する組込式加熱調理器に関するものである。
【背景技術】
【０００２】
従来、組込式加熱調理器を厨房家具の調理台に形成された開口部に嵌め込む際、本調理器を手前側が下になるように傾け、その状態で手前側から先に調理台の開口部に落とし込み、遅れて後側を弧を描くようにして開口部に落とし込む（例えば、特許文献１参照）。
【０００３】
【特許文献１】特開平１１−１２１１５５号公報（第３頁、図２）
【発明の開示】
【発明が解決しようとする課題】
【０００４】
組込式加熱調理器は、重量がほぼ２０〜３０ｋｇあって大変重い。その据付は作業者が１人で行うため、本調理器を傾けて開口部に落とし込む際、本調理器の手前側のフランジ部を支点として、円弧状に下降させて開口部に収納しているのが一般的である。その場合、フランジ部が変形したりし、そのフランジ部の上部に設けられた上面操作部が操作不良となる恐れがあった。
【０００５】
本発明は、前記のような課題を解決するためになされたもので、万一フランジが変形しても上面操作部の操作不良を防止し、上面操作部の取付が容易な組込式加熱調理器を得ることを目的とする。
【課題を解決するための手段】
【０００６】
本発明に係る組込式加熱調理器は、厨房家具の上面に開けられた開口周縁にフランジが載置される本体ケースと、調理するための天板の周縁に取り付けられ、フランジに設けられた枠体と、枠体のうち手前側の枠体に設けられ、調理に必要な複数のスイッチ、少なくともこれらスイッチが実装された基板を有する上面操作部と、上面操作部の一部品として設けられ、上面に基板が取り付けられた基板ケースと、基板ケースの下面とこの下面に対向する本体ケースのフランジとの間に設けられた弾性体とを備えたものである。
【発明の効果】
【０００７】
本発明においては、上面に基板が取り付けられた基板ケースの下面とこの下面に対向する本体ケースのフランジとの間に弾性体を備えたので、本調理器を厨房家具の上面の開口に挿入している際に、手前側が厨房家具に当たって本体ケースのフランジが撓んでも、弾性体が吸収し、このため、フランジの撓みによる基板ケースへの影響を抑えることが可能になり、スイッチの操作ができなくなるということがなくなった。
【発明を実施するための最良の形態】
【０００８】
図１は実施の形態の組込式加熱調理器を調理台に設置した状態を示す外観斜視図、図２は実施の形態に係る組込式加熱調理器の本体ケースを示す外観斜視図である。
図１において、本調理器は、天板１が厨房家具である調理台上面に露出するように、グリル扉７が調理台前面に露出するように取り付けられている。天板１は、枠体４に接着剤２０（図３参照）で固定された耐熱強化ガラス製からなり、上面には、調理容器の設置位置を指定する鍋載置サークル２が表示され、手前側の２つのサークル２の中央に火力や調理状態等を表示する表示部（図示せず）の表示窓３が設けられている。枠体４は、後述する本体ケース１１のフランジにネジ止めされ、手前側に上面操作部５が設けられ、後側には排気孔６が形成されている。グリル扉７の両側には、操作ダイヤル８と吸入孔９が配置されている。
【０００９】
前述した本体ケース１１は、図２に示すように、主要部品収納体１２とこの主要部品収納体１２の前部側にネジ１０で取り付けられた前部支持体１３とからなり、主要部品収納体１２の側板上端に外方に折り曲げられた３カ所のフランジ１２ａと、前部支持体１３の側板上端に外方に折り曲げられたフランジ１３ａとが、調理台の上面に開けられた開口部周縁に載置される。主要部品収納体１２と前部支持体１３とで形成された手前側の四辺形の穴にグリル室が形成される。主要部品収納体１２のフランジ１２ａには、前述した枠体４がネジで固着される。主要部品収納体１２には、調理容器を誘導加熱するためのコイルや、調理容器加熱用のシーズヒータ、電源基板、発熱部品冷却用の送風機等が収納される。前部支持体１３は、フランジ１３ａと直角になす側板に、本体ケース１１の内側に突出して形成された一対の支持片１３ｂが設けられている。
【００１０】
ここで、上面操作部５と前部支持体１３について図３〜図６を用いて説明する。図３は図１に示すＡ−Ａ方向から見た上面操作部と前部支持体の拡大断面図、図４は弾性体の貼り付け例を示す平面図、図５は上面操作部と前部支持体の相関を示す斜視図、図６は本調理器を調理台に取り付けているときの途中の状態を示す図である。
【００１１】
上面操作部１３は、図３に示すように、基板ケース１４と、この基板ケース１４の上面に取り付けられ、加熱源のコイルおよびシーズヒータに応じて天板１の幅方向に配列されたスイッチ１５ａ、電子部品素子１５ｂ等が実装された基板１５と、スイッチ１５ａを覆うように設けられた押しボタン１６ａを有する押しボタンケース１６と、この押しボタンケース１６の上方を覆うように枠体４に取り付けられたメンブレンシート１７とで構成されている。
【００１２】
前記の基板ケース１４は、天板１の幅方向に長く形成され、その方向の本体ケース１１の内側の一端に垂下して形成された板状の挿入板１４ａを有している（図５参照）。この挿入板１４ａが、前部支持体１３の側板に形成された一対の支持片１３ｂに上下動可能に挿入されている。押しボタンケース１６は、基板１５を覆うように基板ケース１４の枠に取り付けられ、図５に示すように、弾性を有する押しボタン支持片１６ｂを介して押しボタン１６ａが取り付けられている。
【００１３】
基板ケース１４の下面と前部支持体１３のフランジ１３ａとの間に設けられた弾性体１８は、図４（ａ）に示すように、基板ケース１４の下面の長手方向の片側に接着剤で貼り付けられている。なお、（ｂ）に示すように、基板ケース１４の下面のほぼ全域に弾性体１９を貼り付けるようにしても良いし、また、（ｃ）に示すように、基板ケース１４の下面の長手方向の両側にそれぞれ弾性体１９を貼り付けるようにしても良いし、また、（ｄ）に示すように、基板ケース１４の下面の両端部に弾性体１９を貼り付けるようにしても良い。
【００１４】
この弾性体１８は、図６に示すように、本調理器の手前側が調理台に当たっているときに生じる押圧力に対し、押しボタン１６が異常に押し上げられない程度の反発力を有している。前述の如く本調理器の手前側が流し台に当たって前部支持体１３のフランジが撓んだ場合、その撓みは弾性体１８により吸収され、さらに、上下動可能な基板ケース１４によって吸収される。
【００１５】
以上のように実施の形態によれば、基板ケース１４の下面と前部支持体１３のフランジ１３ａとの間に弾性体１８が設けられ、また、基板ケース１４の挿入板１４ａが前部支持体１３の側板に形成された一対の支持片１３ｂに上下動可能に挿入されているので、本調理器を調理台の上面開口部に挿入している際に、手前側が調理台に当たって前部支持体１３のフランジが撓んでも、弾性体１８により吸収され、さらに、上下動可能な基板ケース１４により吸収され、このため、押しボタン１６ａの中心軸上に位置するスイッチ１５ａの軸心ずれによる押しボタン１６ａからの操作ができなくなるということがなくなり、また、本調理器の据え付け後、押しボタン１６ａの押上げによるメンブレンシート１７とのずれの調整が不要になる。
【００１６】
また、基板ケース１４の挿入板１４ａを前部支持体１３の側板に形成された一対の支持片１３ｂに上下動可能に挿入できるようにしているので、組み立ての際に、ネジを用いることなく容易に組み立てることが可能になり、作業工数を軽減できる。
【００１７】
なお、前記の実施の形態では、基板ケース１４に１枚の挿入板１４ａを設け、これを前部支持体１３の一対の支持片１３ｂに上下動可能に挿入するようにしたが、図７に示すように、基板ケース１４の挿入板１４ａを２枚に分割し、その先端に下方に突出する挿入部１４ｂを形成し、前部支持体１３の側板に本体ケース１１の内側に水平に突出して上方に直角に折り曲げられた支持片１３ｃを前記挿入部１４ｂに対応して設け、さらに、その支持片１３ｃに挿入部１４ｂを貫通させる挿入穴１３ｄを設けて、基板ケース１４を前部支持体１３に上下動可能に取り付けられるようにしても良い。
【００１８】
このように構成した場合でも、前記と同様に本調理器の手前側が調理台に当たって前部支持体１３のフランジが撓んでも、基板ケース１４の下面に設けられた弾性体１８により吸収され、さらに、上下動可能な基板ケース１４により吸収され、このため、押しボタン１６ａの中心軸上に位置するスイッチ１５ａの軸心ずれによる押しボタン１６ａからの操作ができなくなるということがなくなり、また、本調理器の据え付け後、押しボタン１６ａの押上げによるメンブレンシート１７とのずれの調整が不要になる。
【００１９】
また、基板ケース１４の挿入部１４ｂを前部支持体１３の側板に形成された一対の支持片１３ｃの挿入穴１３ｄに上下動可能に挿入できるようにしたので、組み立ての際に、ネジを用いることなく容易に組み立てることが可能になり、作業工数を軽減できる。
【００２０】
また、前記の実施の形態では、基板ケース１４と前部支持体１３のフランジ１３ａとの間に弾性体１８を設けたことを述べたが、その弾性体１８に代えて、図８に示すように、前部支持体１３のフランジ１３ａに一端を支点とする円弧状の弾性片１３ｅを複数設けるようにしても良いし、また、図９に示すように、基板ケース１４の下面に一端を支点とする円弧状の弾性片１４ｃを複数設けるようにしても良い。これら弾性片１３ｅ、１４ｃは、前述したように、本調理器の手前側が調理台に当たっているときに生じる押圧力に対し、押しボタン１６が異常に押し上げられない程度の反発力を有している。また、前記の弾性体１８、弾性片１３ｅ、１４ｃに代えて、螺旋状に形成されたバネ（図示せず）を用いるようにしてもよい。
【００２１】
また、弾性体１８を基板ケース１４の下面に設けたことを述べたが、その弾性体１８を前部支持体１３のフランジ１３ａの上面に貼り付けるようにしても良い。
【図面の簡単な説明】
【００２２】
【図１】実施の形態の組込式加熱調理器を調理台に設置した状態の外観斜視図である。
【図２】実施の形態に係る組込式加熱調理器の本体ケースを示す外観斜視図である。
【図３】図１に示すＡ−Ａ方向から見た上面操作部と前部支持体の拡大断面図である。
【図４】弾性体の貼り付け例を示す平面図である。
【図５】上面操作部と前部支持体の相関を示す斜視図である。
【図６】本調理器を調理台に取り付けているときの途中の状態を示す図である。
【図７】他の実施の形態における上面操作部と前部支持体の相関を示す斜視図である。
【図８】他の実施の形態における前部支持体のフランジを示す一部斜視図である。
【図９】他の実施の形態における基板ケースの下面を示す一部斜視図である。
【符号の説明】
【００２３】
１  天板、４  枠体、５  上面操作部、７  グリル扉、８  操作ダイヤル、１１  本体ケース、１２  主要部品収納体、１２ａ  フランジ、１３  前部支持体、１３ａ  フランジ、１３ｂ，１３ｃ  支持片、１３ｄ  挿入穴、１３ｅ  弾性片、１４  基板ケース、
１４ａ  挿入板、１４ｂ  挿入部、１４ｃ  弾性片、１５  基板、１５ａ  スイッチ、
１５ｂ  電子部品素子、１６  押しボタンケース、１６ａ  押しボタン、１６ｂ  押しボタン支持片、１７  メンブレンシート、１８  弾性体。
【図１】
2008304136.tif 000003
【図２】
2008304136.tif 000004
【図３】
2008304136.tif 000005
【図４】
2008304136.tif 000006
【図５】
2008304136.tif 000007
【図６】
2008304136.tif 000008
【図７】
2008304136.tif 000009
【図８】
2008304136.tif 000010
【図９】
2008304136.tif 000011